(57)【要約】【課題】システム内に用いる熱源機の設置や選択の自由度を高め、システム構築の容易化や、システム動作の安定化を実現する。【解決手段】  自動ガス遮断機能を有するガスメータ（１４）を介して燃料ガスが供給される燃料電池コージェネレーションシステムで（２）あって、燃料電池ユニット（４）の排熱で加熱された熱媒を溜める蓄熱ユニット（タンクユニット６）と、前記燃料電池ユニットと別個に設置され、前記蓄熱ユニットから供給される前記熱媒または外部から供給される熱媒を前記燃料ガスの燃焼熱により加熱する熱源機と（給湯器８）を備え、前記熱源機は、前記自動ガス遮断機能が動作する時間間隔より短い時間間隔で前記燃料ガスを燃焼する。【選択図】図１
2015144088.tif 000002
【特許請求の範囲】
【請求項１】
自動ガス遮断機能を有するガスメータを介して燃料ガスが供給される燃料電池コージェネレーションシステムであって、
燃料電池ユニットの排熱で加熱された熱媒を溜める蓄熱ユニットと、
前記燃料電池ユニットと別個に設置され、前記蓄熱ユニットから供給される前記熱媒または外部から供給される熱媒を前記燃料ガスの燃焼熱により加熱する熱源機とを備え、
前記熱源機は、前記自動ガス遮断機能が動作する時間間隔より短い時間間隔で前記燃料ガスを燃焼することを特徴とする燃料電池コージェネレーションシステム。
【請求項２】
前記ガスメータの自動ガス遮断機能の自動遮断時間より短い時間間隔で前記熱源機に前記燃料ガスを消費させる制御手段を備え、該制御手段の制御により前記燃料ガスの消費に変化を生じさせることを特徴とする請求項１に記載の燃料電池コージェネレーションシステム。
【請求項３】
前記燃料電池ユニットの動作開始から時間を計測し、該計測時間が所定時間を超えた場合、前記熱源機に前記燃料ガスを消費させる制御手段を備えることを特徴とする請求項１に記載の燃料電池コージェネレーションシステム。
【請求項４】
前記熱源機で加熱される前記熱媒の経路に開閉弁を備え、該開閉弁を開き、前記熱源機に前記熱媒を流して前記燃料ガスを消費させることを特徴とする請求項２または請求項３に記載の燃料電池コージェネレーションシステム。
【請求項５】
自動ガス遮断機能を有するガスメータを介して燃料ガスが供給される燃料電池ユニットの排熱で加熱された熱媒を溜める蓄熱ユニットと、
前記燃料電池ユニットと別個に設置され、前記蓄熱ユニットから供給される前記熱媒または外部から供給される熱媒を前記燃料ガスの燃焼熱により加熱する熱源機とを備える燃料電池コージェネレーションシステムのコンピュータに実行させるための制御プログラムであって、
自動ガス遮断機能を有するガスメータの自動遮断時間より短い時間間隔で前記熱源機に前記燃料ガスを消費させ、
前記燃料ガスの消費に変化を生じさせる
処理を前記コンピュータに実行させるための燃料電池コージェネレーションシステムの制御プログラム。
【請求項６】
燃料電池ユニットの動作開始から時間を計測し、
該計測時間が所定時間を超えた場合、前記熱源機に前記燃料ガスを消費させる
処理を前記コンピュータに実行させるための請求項５に記載の燃料電池コージェネレーションシステムの制御プログラム。
【請求項７】
前記熱源機で加熱される前記熱媒の経路に開閉弁を備え、該開閉弁を開き、前記熱源機に前記熱媒を流して前記燃料ガスを消費させる
処理を前記コンピュータに実行させるための請求項６に記載の燃料電池コージェネレーションシステムの制御プログラム。
【請求項８】
自動ガス遮断機能を有するガスメータを介して燃料ガスが供給される燃料電池ユニットの排熱で加熱された熱媒を溜める蓄熱ユニットと、
前記燃料電池ユニットと別個に設置され、前記蓄熱ユニットから供給される前記熱媒または外部から供給される熱媒を前記燃料ガスの燃焼熱により加熱する熱源機とを備える燃料電池コージェネレーションシステムの制御方法であって、
自動ガス遮断機能を有するガスメータの自動遮断時間より短い時間間隔で前記熱源機に前記燃料ガスを消費させ、
前記燃料ガスの消費に変化を生じさせる
処理を前記コンピュータに実行させるための燃料電池コージェネレーションシステムの制御方法。
【請求項９】
燃料電池ユニットの動作開始から時間を計測し、
該計測時間が所定時間を超えた場合、前記熱源機に前記燃料ガスを消費させる
処理を前記コンピュータに実行させるための請求項８に記載の燃料電池コージェネレーションシステムの制御方法。
【請求項１０】
前記熱源機で加熱される前記熱媒の経路に開閉弁を備え、該開閉弁を開き、前記熱源機に前記熱媒を流して前記燃料ガスを消費させることを特徴とする請求項８または９に記載の燃料電池コージェネレーションシステムの制御方法。
【発明の詳細な説明】
【技術分野】
【０００１】
本開示の技術は、プロパンガスや都市ガスなどの燃料ガスを用いる燃料電池コージェネレーションシステムの制御技術に関する。
【背景技術】
【０００２】
一般家庭など、小規模な給電・給湯需要向けの燃料電池コージェネレーションシステムが普及している。この燃料電池コージェネレーションシステムでは、燃料ガスを改質して発電する燃料電池ユニットとともに給湯システムが備えられ、給湯システムでは燃料電池ユニットの発電に伴う排熱を熱源に利用する。これら燃料電池および給湯システムは、システムを構成するひとつの筐体に設置され、給湯システムにはその筐体内に熱源機および蓄熱タンクが備えられる。
【０００３】
この燃料電池コージェネレーションシステムに関し、燃料電池ユニット、熱源機および蓄熱タンクを備えること、燃料ガスの消費量がマイコンメータによって検出されること、消費ガス量の変化が所定範囲で、一定時間以上継続した場合、マイコンメータがガス漏れと判断し、ガス供給を遮断すること、燃料ガスの継続使用に起因するマイコンメータのガス遮断を回避することが知られている（たとえば、特許文献１）。
【先行技術文献】
【特許文献】
【０００４】
【特許文献１】特開２００８−１５９３９７号公報
【発明の概要】
【発明が解決しようとする課題】
【０００５】
ところで、燃料電池および給湯システムを備えるとともに、給湯システムには熱源機および蓄熱タンクを含む燃料電池コージェネレーションシステムを設置するには、一定の設置スペースが必要である。設置スペースが狭い環境では、斯かるシステムを設置できない場合がある。燃料電池と蓄熱タンクが別個に構成され、蓄熱タンクに給湯システムが一体化されたシステムでも蓄熱タンクの占める割合が大きく、この場合も設置スペースが問題となる。
【０００６】
システム内には熱源が備えられており、需要箇所に既に熱源機を設置していても、この熱源機を使用することができず、システムの設置のために、既存の熱源機の廃棄を余儀なくされるといった事態も想定される。
【０００７】
燃料電池コージェネレーションシステムには自動ガス遮断機能を有するガスメータを通して燃料ガスが供給される。ガスメータは所謂マイコンメータであり、消費ガス量の変化が所定範囲で、一定時間以上継続した場合にはガス漏れと判断し、ガス供給やガス消費が正常であってもガス供給を遮断する。
【０００８】
燃料電池コージェネレーションシステムに用いられるＦＣシステムがＳＯＦＣ（Solid Oxide Fuel Cell ：固体酸化物型燃料電池）タイプである場合、このＳＯＦＣでは作動温度が高温であるため、起動および停止に時間を要する。斯かるシステムを効率よく動作させるには、一定の発電を長時間連続することが望ましい。しかし、ガスメータの自動ガス遮断機能が動作すると、同一のガス消費量で連続かつ継続したＦＣシステムの運転が停止され、効率的な運転が妨げられるという課題がある。
【０００９】
そこで、本開示の発明の目的は上記課題に鑑み、システム内に用いる熱源機の設置や選択の自由度を高め、システム構築の容易化を実現することにある。
【００１０】
また、本開示の発明の他の目的は上記課題に鑑み、システム動作の安定化を実現することにある。
【課題を解決するための手段】
【００１１】
上記目的を達成するため、本開示の燃料電池コージェネレーションシステムの一側面によれば、自動ガス遮断機能を有するガスメータを介して燃料ガスが供給される燃料電池コージェネレーションシステムであって、燃料電池ユニットの排熱で加熱された熱媒を溜める蓄熱ユニットと、前記燃料電池ユニットと別個に設置され、前記蓄熱ユニットから供給される前記熱媒または外部から供給される熱媒を前記燃料ガスの燃焼熱により加熱する熱源機とを備え、前記熱源機は、前記自動ガス遮断機能が動作する時間間隔より短い時間間隔で前記燃料ガスを燃焼する。
【００１２】
上記燃料電池コージェネレーションシステムにおいて、前記ガスメータの自動ガス遮断機能の自動遮断時間より短い時間間隔で前記熱源機に前記燃料ガスを消費させる制御手段を備え、該制御手段の制御により前記燃料ガスの消費に変化を生じさせてもよい。
【００１３】
上記燃料電池コージェネレーションシステムにおいて、前記燃料電池ユニットの動作開始から時間を計測し、該計測時間が所定時間を超えた場合、前記熱源機に前記燃料ガスを消費させる制御手段を備えてもよい。
【００１４】
上記燃料電池コージェネレーションシステムにおいて、前記熱源機で加熱される前記熱媒の経路に開閉弁を備え、該開閉弁を開き、前記熱源機に前記熱媒を流して前記燃料ガスを消費させてもよい。
【００１５】
上記目的を達成するため、本開示の燃料電池コージェネレーションシステムの制御プログラムの一側面によれば、自動ガス遮断機能を有するガスメータを介して燃料ガスが供給される燃料電池ユニットの排熱で加熱された熱媒を溜める蓄熱ユニットと、前記燃料電池ユニットと別個に設置され、前記蓄熱ユニットから供給される前記熱媒または外部から供給される熱媒を前記燃料ガスの燃焼熱により加熱する熱源機とを備える燃料電池コージェネレーションシステムのコンピュータに実行させるための制御プログラムであって、自動ガス遮断機能を有するガスメータの自動遮断時間より短い時間間隔で前記熱源機に前記燃料ガスを消費させ、前記燃料ガスの消費に変化を生じさせる処理を前記コンピュータに実行させる。
【００１６】
上記燃料電池コージェネレーションシステムの制御プログラムにおいて、燃料電池ユニットの動作開始から時間を計測し、該計測時間が所定時間を超えた場合、前記熱源機に前記燃料ガスを消費させる処理を前記コンピュータに実行させてもよい。
【００１７】
上記燃料電池コージェネレーションシステムの制御プログラムにおいて、前記熱源機で加熱される前記熱媒の経路に開閉弁を備え、該開閉弁を開き、前記熱源機に前記熱媒を流して前記燃料ガスを消費させる処理を前記コンピュータに実行させてもよい。
【００１８】
上記目的を達成するため、本開示の燃料電池コージェネレーションシステムの制御方法の一側面によれば、自動ガス遮断機能を有するガスメータを介して燃料ガスが供給される燃料電池ユニットの排熱で加熱された熱媒を溜める蓄熱ユニットと、前記燃料電池ユニットと別個に設置され、前記蓄熱ユニットから供給される前記熱媒または外部から供給される熱媒を前記燃料ガスの燃焼熱により加熱する熱源機とを備える燃料電池コージェネレーションシステムの制御方法であって、自動ガス遮断機能を有するガスメータの自動遮断時間より短い時間間隔で熱源機に前記燃料ガスを消費させ、前記燃料ガスの消費に変化を生じさせる処理を前記コンピュータに実行させる。
【００１９】
上記燃料電池コージェネレーションシステムの制御方法において、燃料電池ユニットの動作開始から時間を計測し、該計測時間が所定時間を超えた場合、前記熱源機に前記燃料ガスを消費させる処理を前記コンピュータに実行させてもよい。
【００２０】
上記燃料電池コージェネレーションシステムの制御方法において、前記熱源機で加熱される前記熱媒の経路に開閉弁を備え、該開閉弁を開き、前記熱源機に前記熱媒を流して前記燃料ガスを消費させてもよい。
【発明の効果】
【００２１】
以上説明したように、本開示の発明によれば、次のいずれかの効果が得られる。
【００２２】
(1) 熱源機の選択の自由度が高められるとともに、熱源機と蓄熱タンクを別に設置できので、設置環境などの設置スペースの多様化に容易に応じることができる。
【００２３】
(2) 熱源機に既設の熱源機など、ユーザが希望する熱源機などを使用でき、システム構築コストを抑制でき、システム構築が容易化できる。
【００２４】
(3) ガスメータの自動ガス遮断機能による正常時のシステムの動作停止を回避でき、安定したシステム動作を実現でき、効率的な運転形態を実現できる。
【図面の簡単な説明】
【００２５】
【図１】第１の実施の形態に係る燃料電池コージェネレーションシステムを示す図である。
【図２】燃料電池コージェネレーションシステムの制御系統の一例を示すブロック図である。
【図３】ガス遮断の回避制御の一例を示すフローチャートである。
【図４】第１の実施の形態の変形例に係る燃料電池コージェネレーションシステムを示す図である。
【図５】変形例に係る燃料電池コージェネレーションシステムの制御系統の一例を示すブロック図である。
【図６】ガス遮断の回避制御の一例を示すフローチャートである。
【図７】給湯器の一例を示す図である。
【図８】三方弁の一例を示す図である。
【図９】第２の実施の形態に係る燃料電池コージェネレーションシステムを示す図である。
【図１０】ガス遮断の回避制御の一例を示すフローチャートである。
【図１１】ふろ給湯器の一例を示す図である。
【発明を実施するための形態】
【００２６】
〔第１の実施の形態〕
【００２７】
＜燃料電池コージェネレーションシステム＞
【００２８】
図１は、燃料電池コージェネレーションシステムを示している。この燃料電池コージェネレーションシステム２には、ＦＣ（Fuel Cell ：燃料電池）ユニット４、タンクユニット６、給湯器８およびリモートコントロール（以下「リモコン」と称する）装置１０が備えられる。ＦＣユニット４および給湯器８には、燃料供給路１２を介して燃料ガスＧが供給される。燃料ガスＧは都市ガス、各需要箇所に設置されるボンベから供給されるプロパンガスなどの燃焼用ガスであればよい。給湯器８は、燃料ガスＧを燃焼させる熱源機の一例である。燃料供給路１２にはガスメータ１４が設置され、燃料ガスＧの使用ガス量が監視され、計測される。このガスメータ１４ではたとえば、マイコンメータが使用されており、ガスの供給状態が一定時間継続した場合に自動的にガス供給を遮断する自動ガス遮断機能を備える。この自動ガス遮断機能には自動ガス遮断時間として一定時間が設定されており、ガス遮断機能として消費ガス量の変化が所定範囲で、一定時間以上継続した場合に、ガス漏れと判断する機能や、その際、ガス供給を遮断する機能である。
【００２９】
ＦＣユニット４には改質器１６、燃料電池１８、熱交換器２０、ポンプ２２およびＦＣ制御部２４−１が備えられる。改質器１６では燃料ガスＧの供給を受け、改質処理により発電に必要な水素（Ｈ2 ）や一酸化炭素（ＣＯ）が生成される。燃料電池１８にはたとえば、ＳＯＦＣ（固体酸化物型燃料電池）が用いられ、改質器１６から提供される水素や一酸化炭素を用いて発電する。このＳＯＦＣでは、酸素イオンが水素や一酸化炭素と反応し、電気と熱とが生成される。この熱が排熱として処理され、熱交換器２０で回収される。
【００３０】
熱交換器２０では燃料電池１８の発電時の排熱が熱媒のたとえば、水Ｗに熱交換される。この熱交換器２０には熱媒循環路２６が接続されており、この熱媒循環路２６にはポンプ２２の駆動により、タンクユニット６側から水Ｗが循環し、排熱が水Ｗに熱交換される。水Ｗは熱媒の一例である。
【００３１】
ＦＣ制御部２４−１は燃料電池１８の発電制御や、ポンプ２２の駆動制御を行う。発電時、加熱された水Ｗが熱媒循環路２６に流れるとともに、このＦＣ制御部２４−１からＦＣユニット４の動作情報がタンクユニット制御部２４−２に通信線２８−１を通して通知される。
【００３２】
タンクユニット６はＦＣユニット４の排熱を蓄積する蓄熱ユニットの一例である。このタンクユニット６には貯湯タンク３０が設置されている。この貯湯タンク３０は、ＦＣユニット４の排熱で加熱された水Ｗ、つまり湯が溜められる。貯湯タンク３０は、階層蓄熱を行う密閉タンクであり、熱媒循環路２６を備えて下層側の低温水を熱交換器２０に流し、熱交換器２０で加熱された高温水が上層側に戻される。この熱媒循環路２６には、貯湯タンク３０の下層部から熱交換器２０に至る第１の経路２６−１、熱交換器２０から三方弁３２−１に至る第２の経路２６−２、三方弁３２−１を介して貯湯タンク３０の上層部と下層部とを結ぶ第３の経路２６−３が備えられる。
【００３３】
貯湯タンク３０には貯湯温度ｔ１、ｔ２、ｔ３、ｔ４を検出するため、複数の貯湯温度センサ３４−１、３４−２、３４−３、３４−４が上層部から下層部の複数箇所に設置されている。経路２６−１には貯湯温度センサ３４−５、ラジエター３６および排熱低温センサ３４−６が備えられる。貯湯温度センサ３４−５は、貯湯タンク３０の下層部から排出される水Ｗの温度ｔ５を検出する。ラジエター３６には循環する水Ｗの予備加熱手段であるヒータ３８およびファン４０が備えられている。排熱低温センサ３４−６は熱交換器２０の入側温度ｔ６を検出する。経路２６−２に設置された排熱高温センサ３４−７は、熱交換器２０の出側温度ｔ７を検出する。
【００３４】
貯湯タンク３０には下層部側に給水路４４、上層部側に給湯路４６−１および排水路４８−１、４８−２が接続されている。給水路４４には入水温センサ３４−８、減圧弁３２−２、ミキシング弁３２−３および水量センサ５０−１が備えられる。入水温センサ３４−８は、給水路４４に導入される水Ｗの入水温度ｔ８を検出する。減圧弁３２−２は、給水圧を減圧する。給水路４４はミキシング弁３２−３および水制御弁３２−４を介して給湯路４６−１に接続され、ミキシング弁３２−３の開閉により給湯路４６−１の給湯に対し給水の混合量を調整する。水量センサ５０−１は、貯湯タンク３０内に流す水量を検出する。
【００３５】
給湯路４６−１には給湯器８が接続され、貯湯タンク３０の上層部から温水を給湯器８に給湯する。この給湯路４６−１には出湯温センサ３４−９、水制御弁３２−４、混合温センサ３４−１０が備えられる。出湯温センサ３４−９は、貯湯タンク３０から給湯路４６−１に流れる温水の出湯温度ｔ９を検出する。水制御弁３２−４にはたとえば、閉止機能付き制御弁が用いられ、その開度によって出湯量が調整される。混合温センサ３４−１０は、水制御弁３２−４の下流側に設置され、給水がミキシングされた温水の混合温度ｔ１０を検出する。
【００３６】
排水路４８−１、４８−２は給湯路４６−１から分岐されており、排水路４８−１には排水電磁弁３２−５、排水路４８−２には加圧逃がし弁３２−６が設置されている。排水電磁弁３２−５は、貯湯タンク３０の温水を排水する際に開かれる。加圧逃がし弁３２−６にはたとえば、バキュームブレーカ付きバルブが用いられ、貯湯タンク３０が過圧状態に到達した際、過圧状態を正常状態に制御する。
【００３７】
タンクユニット制御部２４−２はこの実施の形態では、ＦＣユニット４の制御状態を監視しつつ、タンクユニット６内の各種弁やヒータ３８の制御とともに、給湯器８との連係制御を行う。
【００３８】
給湯器８には給湯のみを行うたとえば、給湯単能機が用いられる。この給湯器８にはバーナ５２、熱交換器５４および給湯器制御部２４−３が備えられる。バーナ５２にはガスメータ１４の下流側から燃料ガスＧが供給される。熱交換器５４には貯湯タンク３０から給湯路４６−１を介して給湯され、バーナ５２の燃焼熱を熱交換する。給湯器制御部２４−３は通信線２８−２を介してタンクユニット制御部２４−２およびリモコン装置１０に接続されている。この給湯器制御部２４−３ではバーナ５２の着火、燃焼制御を行う。
【００３９】
給湯器８の出側給湯路４６−２には三方弁３２−７が接続されている。この三方弁３２−７には、出湯路４６−３および排水路４６−４が接続され、出側給湯路４６−２からの出湯を出湯路４６−３または排水路４６−４に選択的に切り替える。この切替えは、タンクユニット制御部２４−２によって制御される。この三方弁３２−７は給湯器８に内蔵されてもよい。出湯路４６−３はふろ給湯の他、シャワーなどの一般給湯に供される。
【００４０】
そして、リモコン装置１０は、タンクユニット制御部２４−２および給湯器制御部２４−３に通信線２８−２によって接続されているとともに、通信線２８−３により三方弁３２−７に接続されている。このリモコン装置１０はタンクユニット制御部２４−２、給湯器制御部２４−３および三方弁３２−７に無線により接続されてもよい。このリモコン装置１０により給湯指示や給湯パターン選択の操作が可能であり、三方弁３２−７の切替えがリモコン装置１０の操作によっても可能である。
【００４１】
このような構成を備えることにより、ＦＣユニット４では燃料ガスＧを改質し発電を行う。その際、発電によって生じる熱を排熱として回収するための熱媒循環路２６が備えられ、ポンプ２２の駆動により排熱を熱媒である水Ｗによってタンクユニット６へ移動させる。これにより、タンクユニット６は、ＦＣユニット４の排熱を水Ｗによって貯湯タンク３０に溜め、必要に応じ所定温度で給湯する。
【００４２】
給湯器８は、一般的に単体で市販されている給湯機器を使用する。タンクユニット６からの給湯を入水として受け、必要に応じてバーナ５２の燃焼熱を熱交換器５４により熱交換することにより設定温度での給湯を行う。このとき、給湯器８を遠隔操作するリモコン装置１０は、通信線２８−２によりタンクユニット制御部２４−２に接続されている。この場合、タンクユニット６は、給湯器８の動作状態をモニタするとともに、リモコン装置１０と同様の制御出力を給湯器８に出力することが可能である。リモコン装置１０には通信線２８−２から分岐された通信線２８−３により三方弁３２−７に接続されており、通信線２８−３を通して三方弁３２−７のポート切替えが可能である。
【００４３】
＜タンクユニット制御部２４−２＞
【００４４】
図２は、燃料電池コージェネレーションシステム２の制御系統２４の一例を示している。この制御系統２４にはＦＣ制御部２４−１、タンクユニット制御部２４−２および給湯器制御部２４−３が含まれる。この制御系統２４は本発明における制御手段の一例であり、各ＦＣ制御部２４−１、タンクユニット制御部２４−２および給湯器制御部２４−３はコンピュータで構成される。
【００４５】
各ＦＣ制御部２４−１、タンクユニット制御部２４−２および給湯器制御部２４−３はバス５８で接続されているとともに、このバス５８には通信線２８−２を介してリモコン装置１０が接続されている。通信線２８−２はたとえば、リモコン線である。
【００４６】
タンクユニット制御部２４−２にはプロセッサ６０、メモリ６２、燃焼なしタイマー６４−１、燃焼時間タイマー６４−２、入出力部（Ｉ／Ｏ）６６および通信インターフェース６７が含まれ、これらはバス５８によって接続され、連係されている。
【００４７】
プロセッサ６０は記憶手段の一例であるメモリ６２にあるＯＳ（Operating System）や各種プログラムを実行し、情報処理を行う。この情報処理には、ガスメータ１４の正常時のガス遮断を回避するガス遮断機能の処理が含まれる。
【００４８】
メモリ６２には一例としてプログラム記憶部６８、データ記憶部７０およびＲＡＭ（Random-Access Memory）７２が含まれる。プログラム記憶部６８にはＯＳや各種プログラムが格納されており、このプログラムには本発明の制御プログラムや制御方法を実現するためのソフトウェアやファームウェアが含まれる。データ記憶部７０にはプログラムを実行するための各種データや、遮断記録などの履歴情報が格納される。これらプログラム記憶部６８およびデータ記憶部７０は不揮発性の記録媒体を用いればよい。ＲＡＭ７２は情報処理のワークエリアを構成し、処理途上の各種データが一時的に格納される。
【００４９】
燃焼なしタイマー６４−１は、ＦＣユニット４以外の燃焼器たとえば、給湯器８にガス消費が発生していない時間を計測する。この燃焼なしタイマー６４−１には、計数情報としてたとえば、給湯器制御部２４−３から燃焼情報が提供される。燃焼なしタイマー６４−１は常時カウントアップするタイマーである。
【００５０】
燃焼時間タイマー６４−２はＦＣユニット４や給湯器８の燃料ガスＧの連続した燃焼時間を計測する。この燃焼時間タイマー６４−２には、計数情報としてＦＣ制御部２４−１や給湯器制御部２４−３から燃焼情報が提供される。燃焼時間タイマー６４−２は燃焼なしタイマー６４−１と同様に常時カウントアップするタイマーである。
【００５１】
Ｉ／Ｏ６６には各種弁３２−１、３２−２・・・３２−７、各種温度センサ３４−１、３４−２・・・３４−１０、ファン４０および水量センサ５０−１などの機能部品が接続されている。各種温度センサ３４−１、３４−２・・・３４−１０から取り込まれた検出情報が情報処理に用いられ、制御情報が各種弁３２−１、３２−２・・・３２−７、ファン４０や水量センサ５０−１のほか、各種機能部の駆動制御に提供される。
【００５２】
通信インターフェース６７には通信線２８−１を介してＦＣ制御部２４−１が接続され、通信線２８−２を介して給湯器制御部２４−３およびリモコン装置１０が接続されている。通信線２８−２には通信線２８−３を介して三方弁３２−７が接続されている。つまり、三方弁３２−７は通信線２８−３および通信線２８−２を介してタンクユニット制御部２４−２、給湯器制御部２４−３およびリモコン装置１０に接続されている。通信線２８−１、２８−２、２８−３はたとえば、二線の給電線などのリモコン線である。
【００５３】
＜ガス遮断の回避制御の処理手順＞
【００５４】
図３は、ガス遮断の回避制御の処理手順の一例を示している。この処理手順は、本発明の制御方法または制御プログラムの一例であり、タンクユニット制御部２４−２で実行される。
【００５５】
この処理手順ではたとえば、動作開始または電源投入時、タンクユニット制御部２４−２の入出力の初期化を行う（Ｓ１１）。
【００５６】
この処理手順にはタンクユニット管理（Ｓ１２）が含まれる。このタンクユニット管理には熱源機情報管理（リモコン装置１０を媒介とするリモコン信号により管理）、排熱回収管理、給湯管理およびタンク内貯留管理が含まれ、常時、これらの管理を行う。
【００５７】
このタンクユニット管理では、ＦＣユニット４が発電中であるかを判断する（Ｓ１３）。この判断により、燃料ガスＧの燃焼が判断される。ＦＣユニット４とタンクユニット制御部２４−２は通信線２８−１により接続され、タンクユニット制御部２４−２にはＦＣ制御部２４−１から動作情報つまり燃焼情報が提供されている。
【００５８】
ＦＣユニット４が発電中でなければ（Ｓ１３のＮＯ）、燃焼なしタイマー６４−１および燃焼時間タイマー６４−２を初期化し（Ｓ１４）、Ｓ１２に戻る。燃焼なしタイマー６４−１はＦＣユニット４以外の燃焼器、この例では給湯器８にガス消費が発生していない時間を計測し、燃焼時間タイマー６４−２はＦＣユニット４や給湯器８の燃料ガスの連続した燃焼時間を計測している。この初期化により、燃焼なしタイマー６４−１および燃焼時間タイマー６４−２の計測時間がリセットされる。
【００５９】
ＦＣユニット４が発電中であれば（Ｓ１３のＹＥＳ）、たとえば、給湯器８が燃焼中であるかを判断する（Ｓ１５）。通信線２８−２を経由して給湯器８からタンクユニット制御部２４−２が動作情報を取得する。
【００６０】
Ｓ１５において、給湯器８のバーナ５２が燃焼中でなければ（Ｓ１５のＮＯ）、燃焼時間タイマー６４−２を初期化する（Ｓ１６）。この初期化の後、所定時刻に到達したか否かを判断する（Ｓ１７）。この所定時刻は、給湯器８を動作させるたとえば、夜間の９時である。この所定時刻に到達していなければ（Ｓ１７のＮＯ）、燃焼なしタイマー６４−１が計測した燃焼なし時間Ｔａが所定時間Ｔ１たとえば、Ｔ１＝１０時間を超えているかを判断する（Ｓ１８）。
【００６１】
Ｔａ＞Ｔ１であれば（Ｓ１８のＹＥＳ）、非加熱上水の供給準備を行い（Ｓ１９）、三方弁３２−７を排水に切り替える（Ｓ２０）。これにより、排水路４６−４から水Ｗが排水される。この場合、Ｔａ＞Ｔ１でなければ（Ｓ１８のＮＯ）、Ｓ１２に戻る。また、Ｓ１７で所定時刻に到達していれば（Ｓ１７のＹＥＳ）、Ｓ１８をスキップし、Ｓ１９の処理を行う。
【００６２】
このような処理により、給湯器８の燃焼動作が開始され、燃料ガスＧの燃焼が行われる。
【００６３】
これにより燃焼時間タイマー６４−２が時間計測を開始し、燃焼時間Ｔｂが所定時間Ｔ２、たとえば、Ｔ２＝１３０〔秒〕を超えているかを判断する（Ｓ２１）。
【００６４】
Ｔｂ＞Ｔ２でなければ（Ｓ２１のＮＯ）、タンクユニット管理を行う（Ｓ２２）。給湯管理は、Ｓ１９の状態が維持される。
【００６５】
Ｔｂ＞Ｔ２であれば（Ｓ２１のＹＥＳ）、三方弁３２−７を給湯に切り替え（Ｓ２３）、これにより、三方弁３２−７が排水から給湯に切り替えられる。つまり、三方弁３２−７は、Ｓ２０の切替状態から通常状態に戻される。
【００６６】
この三方弁３２−７の切り替えに続き、非加熱上水供給解除（Ｓ２４）を行い、燃焼なしタイマー６４−１を初期化し（Ｓ２５）、燃焼なしタイマー６４−１の計測時間をリセットする。つまり、燃焼により、ガス消費量に変動が生じたので、燃焼なしタイマー６４−１を初期化する。
【００６７】
Ｓ１５において、給湯器８が燃焼中であれば（Ｓ１５のＹＥＳ）、燃焼時間タイマー６４−２が燃焼時間を計測し、この燃焼時間Ｔｂが所定時間Ｔ２、たとえば、Ｔ２＝１３０〔秒〕を超えて連続しているかを判断する（Ｓ２６）。
【００６８】
Ｔｂ≦Ｔ２であれば（Ｓ２６のＮＯ）、Ｓ１２に戻る。Ｔｂ＞Ｔ２であれば（Ｓ２６のＹＥＳ）、燃焼なしタイマー６４−１の計測時間を初期化し（Ｓ２７）、Ｓ１２に戻る。この初期化により、燃焼なしタイマー６４−１の計測時間はリセット状態に維持される。つまり、燃焼中であるから燃焼なし時間は計測されない。
【００６９】
このような処理手順によれば、給湯器８のバーナ５２の燃焼を行うので、燃焼（ガス消費量に変動）がない場合のガスメータ１４のガス遮断を回避できる。
【００７０】
この実施の形態では、燃焼準備としてタンクユニット６の水制御弁３２−４を閉止状態にし、加熱水の供給を停止し、ミキシング弁３２−３により供給水量が少なくなるように調整している。供給水量は最低燃焼水量としてたとえば、３〔リットル／分〕以上であればよい。燃焼によるガス消費量に変動を生じればよく、給湯器８のバーナ５２の燃焼時間は少なくてよい。つまり、最低燃焼水量はより少ないほうがよい。
【００７１】
＜変形例＞
【００７２】
図４は、変形例に係る燃料電池コージェネレーションシステムを示している。図４において、図１と同一部分には同一符号を付してある。図１に示す構成例では、出湯路４６−３に三方弁３２−７を設けて排水路４６−４を備えているが、この排水路４６−４を出湯路４６−３から分岐し、この排水路４６−４に開閉弁３２−１３を設置してもよい。この場合、開閉弁３２−１３により排水路４６−４が開閉され、開閉弁３２−１３が開状態のとき、給湯器８が燃焼状態となる。
【００７３】
図５は、この変形例に係る燃料電池コージェネレーションシステムの制御系統の一例を示している。図５において、図２と同一部分には同一符号を付してある。開閉弁３２−１３は三方弁３２−７に代えて設置されており、この開閉弁３２−１３はＩ／Ｏ６６に接続されている。
【００７４】
図６は、ガス遮断の回避制御の一例を示している。この処理手順では、Ｓ１９の後、開閉弁３２−１３を開き（Ｓ３１）、Ｓ２１の処理を行い、Ｓ２１の後で開閉弁３２−１３を閉じ（Ｓ３２）、Ｓ２４に移行する。その他の処理は図３と同一であるので、同一符号を付し、その説明を割愛する。
【００７５】
＜給湯器８＞
【００７６】
図７は、給湯器８の一例を示している。図７において、図１および図４と同一部分には同一符号を付してある。この給湯器８には高効率給湯器が用いられ、熱交換器５４として一次熱交換器５４−１に対し、二次熱交換器５４−２が設置されている。燃焼排気ＥＧはバーナ５２から一次熱交換器５４−１、二次熱交換器５４−２に流れ、排気口７３から外気に放出される。一次熱交換器５４−１では、水Ｗにバーナ５２の燃焼排気ＥＧから顕熱を熱交換し、二次熱交換器５４−２では、給水Ｗにバーナ５２の燃焼排気ＥＧから潜熱を熱交換する。
【００７７】
給湯路４６−１に対する水Ｗが二次熱交換５４−２を循環して予備加熱され、その温水が一次熱交換器５４−１に流れて加熱された後、出側給湯路４６−２に流れる。一次熱交換５４−１の入側および出側はバイパス路４６−５で連結されている。給湯路４６−１に入る水の温度Ｔ１１は、入水温センサ３４−１１で検出され、出湯温度Ｔ１２は、混合温センサ３４−１２で検出される。出側給湯路４６−２には水量センサ５０−２および水制御弁３２−８が備えられ、給水量の制御および検出が行われる。
【００７８】
バーナ５２には、燃料ガスＧが元ガス電磁弁３２−９、給湯ガス電磁弁３２−１０、給湯ガス切替え弁３２−１１、３２−１２を介して供給される。バーナ５２、一次熱交換器５４−１および二次熱交換器５４−２を備える燃焼室７４の底面部には給気ファン７６が設置され、この給気ファン７６により燃焼空気がバーナに供給される。
【００７９】
燃焼排気ＥＧの潜熱回収により、二次熱交換器５４−２に生じたドレンＤはドレン回収受け７８で回収され、ドレンパイプ８０を介して中和器８２に導かれる。この中和器８２で中和されたドレンＤは、中和器８２のオーバーフロー分がオーバーフローパイプ８４から排出される。
【００８０】
既述の給湯器制御部２４−３は電装基板８６に実装され、この電装基板８６には漏電安全装置８８を介して商用電源ＡＣが給電されている。
【００８１】
＜三方弁３２−７＞
【００８２】
図８は、三方弁３２−７の一例を示している。図８において、図１と同一部分には同一符号を付してある。
【００８３】
この三方弁３２−７には弁筐体９０、ギヤードモータ（以下、「モータ」と称する）９２、位置検出部９４および弁制御部９６が備えられる。
【００８４】
弁筐体９０には弁体９８が回転可能に備えられ、モータ９２によって回転する。モータ９２は、ギヤとモータとを一体化させて弁体９８を回転させる回転駆動手段の一例であって、弁体９８を回動させる手段であればよく、モータ９２に限定されない。弁体９８の回転位置は、位置検出部９４で検出される。この位置検出部９４は、弁体９８の回転位置検出手段の一例であって、ホール素子を用いた回転検出器、エンコーダ、近接スイッチなど、回転位置を検出できるものであればよい。
【００８５】
弁制御部９６は、弁体９８の制御手段であって、例えば、ＣＰＵ（Central Processing Unit ）などのプロセッサ、記憶手段などで構成される。この実施の形態では、弁制御部９６は、弁体９８を回転させるモータ９２の制御手段を構成しており、モータ９２に対して駆動信号を出力するとともに、位置検出部９４からの位置検出信号を受け、タンクユニット制御部２４−２、給湯器制御部２４−３またはリモコン装置１０から制御情報を受け、所定の位置に弁体９８を切り替える。その弁体９８の位置検出信号は、弁体９８の位置を表す位置情報の一例である。
【００８６】
斯かる構成では、制御情報が通信線２８−３を介して弁制御部９６に入力されると、その制御情報を受けた弁制御部９６がモータ９２に駆動信号を付与する。モータ９２によって回転する弁体９８の回転位置は、位置検出部９４によって検出され、その位置検出信号が弁制御部９６に取り込まれる。この結果、弁制御部９６は付与された制御情報に応じて、弁体９８を所定の位置に制御する。この制御により、三方弁３２−７が所定方向に切り替えられる。
【００８７】
この三方弁３２−７では、弁筐体９０およびモータ９２が取付板１００に取り付けられている。モータ９２は、ギヤとモータとを一体化しており、取付板１００の上面に設置されている。弁筐体９０は、取付板１００の下面に設置され、第１、第２および第３のポート１０２Ａ、１０２Ｂ、１０２Ｃを備えている。これらポート１０２Ａ、１０２Ｂ、１０２Ｃは、弁筐体９０の中央に形成された弁室１０４に連通されている。この弁室１０４は球形のキャビティであり、この弁室１０４には弁体９８が設置されている。
【００８８】
この弁体９８には、弁体９８の図中水平方向の角度に応じてポート１０２Ａ−１０２Ｃ間を開、ポート１０２Ａ、１０２Ｂ、１０２Ｃの全てを閉、ポート１０２Ｂ−１０２Ｃ間を開に切り替えるための遮断部１０６と、通路部１０８と、弁軸１１０とを備えている。図示の弁体９８は、ポート１０２Ｃ−１０２Ｂ間の開放状態の位置である。
【００８９】
このような切替えまたは遮断の状態を回転によって実現するため、弁体９８の弁軸１１０にはモータ９２が連結されている。弁体９８は、その上下部に配置された弁座部１１２を介して弁筐体９０に回動可能に支持されている。また、この弁軸１１０の近傍には、弁体９８の位置を検出する位置検出部９４が設置されている。
【００９０】
＜第１の実施の形態の効果＞
【００９１】
(1) この燃料電池コージェネレーションシステム２では、ＦＣシステム４、タンクユニット６および給湯器８で構成されるが、給湯器８はタンクユニット６と別体で構成されている。タンクユニット６と給湯器８が一体化された専用装置では、既存の給湯装置が利用できないなど、設置コストが必要であり、コストアップとなり、設置スペースも大きくなるなどの不都合がある。これに対し、タンクユニット６から給湯器８を独立させているので、市販の給湯器８や既設の給湯設備を給湯器８に利用でき、燃料電池コージェネレーションシステム２のコストダウン、設置コストの低減、設置スペースの縮小化を図ることができる。
【００９２】
(2) ＳＯＦＣタイプのＦＣシステム４では作動温度が高温であるため、起動および停止に時間を要するので、効率よく動作させるには、一定の発電を長時間連続することが望ましい。上記実施の形態では、所定時間以内にガス消費量に変化を加えることにより、ガスメータ１４の自動ガス遮断を回避でき、同一のガス消費量で連続かつ継続した運転を行うことができ、運転の効率化を図ることができる。
【００９３】
(3) 通信線２８−２のリモコン信号の利用により、給湯器８に燃焼動作を実行させ、所定時間以内にガス消費量に変化を加えることができる。
【００９４】
〔第２の実施の形態〕
【００９５】
図９は、第２の実施の形態に係る燃料電池コージェネレーションシステム２を示している。図９において、図１と同一部分には同一符号を付してある。
【００９６】
燃料電池コージェネレーションシステム２には図９に示すように、第１の実施の形態の給湯器８に代え、ふろ給湯器１１４を用いてもよい。このふろ給湯器１１４には既述の給湯器８の構成に加え、追焚循環路１１６が備えられている。この追焚循環路１１６には追焚往き管１１６−１および追焚戻り管１１６−２が備えられている。この追焚循環路１１６にはバーナ１１８の燃焼熱を浴槽水ＢＷに熱交換する追焚熱交換器１２０が接続されるとともに、浴槽１２２が接続されている。バーナ１１８にはバーナ５２と共通にガスメータ１４を介して燃料ガスＧが供給される。この場合、浴槽水ＢＷは浴槽１２２から追焚戻り管１１６−２を経て追焚熱交換器１２０に循環させ、給湯往き管１１６−１により熱交換後の浴槽水ＢＷを浴槽１２２に流す。この実施の形態では、浴槽水ＢＷは熱媒の一例である。
【００９７】
追焚往き管１１６−１には出側給湯路４６−２が注湯路１２４により接続されているとともに、三方弁３２−７が設置されている。この三方弁３２−７は浴槽１２２への給湯または排水を切り替える。
【００９８】
斯かる構成では、ガスメータ１４の自動遮断機能を回避するため、ふろ給湯器１１４のバーナ５２を燃焼させた際、三方弁３２−７を浴槽側または排水側に切り替えることにより、浴槽１２２に注湯しまたは排水することができる。
【００９９】
＜ガス遮断の回避制御の処理手順＞
【０１００】
図１０は、ガス遮断の回避制御の処理手順の一例を示している。この処理手順は、本発明の制御方法または制御プログラムの一例であり、第１の実施の形態と同様にタンクユニット制御部２４−２で実行される。
【０１０１】
この処理手順ではたとえば、動作開始または電源投入時、タンクユニット制御部２４−２の入出力の初期化を行う（Ｓ４１）。
【０１０２】
この処理手順には同様にタンクユニット管理（Ｓ４２）が含まれる。このタンクユニット管理には熱源機情報管理（リモコン装置１０を媒介とするリモコン信号により管理）、排熱回収管理、給湯管理およびタンク内貯留管理が含まれ、常時、これらの管理を行う。
【０１０３】
このタンクユニット管理では、ＦＣユニット４が発電中であるかを判断する（Ｓ４３）。この判断により、燃料ガスＧの燃焼が判断される。ＦＣユニット４とタンクユニット制御部２４−２は通信線２８−１により接続され、タンクユニット制御部２４−２にはＦＣ制御部２４−１から動作情報つまり燃焼情報が提供されている。
【０１０４】
ＦＣユニット４が発電中でなければ（Ｓ４３のＮＯ）、燃焼なしタイマー６４−１および燃焼時間タイマー６４−２を初期化し（Ｓ４４）、Ｓ４２に戻る。燃焼なしタイマー６４−１はＦＣユニット４以外の燃焼器、この例ではふろ給湯器１１４にガス消費が発生していない時間を計測し、燃焼時間タイマー６４−２はふろ給湯器１１４の燃料ガスＧの連続した燃焼時間を計測している。この初期化により、燃焼なしタイマー６４−１および燃焼時間タイマー６４−２の計測時間がリセットされる。
【０１０５】
ＦＣユニット４が発電中であれば（Ｓ４３のＹＥＳ）、たとえば、ふろ給湯器１１４が燃焼中であるかを判断する（Ｓ４５）。通信線２８−２を経由してふろ給湯器１１４からタンクユニット制御部２４−２が動作情報を取得する。
【０１０６】
Ｓ４５において、ふろ給湯器１１４のバーナ５２が燃焼中でなければ（Ｓ４５のＮＯ）、燃焼時間タイマー６４−２を初期化する（Ｓ４６）。この初期化の後、所定時刻に到達したか否かを判断する（Ｓ４７）。この所定時刻は、ふろ給湯器１１４を動作させるたとえば、夜間の９時である。この所定時刻に到達していなければ（Ｓ４７のＮＯ）、燃焼なしタイマー６４−１が計測した燃焼なし時間Ｔａが所定時間Ｔ１たとえば、Ｔ１＝１０時間を超えているかを判断する（Ｓ４８）。
【０１０７】
Ｔａ＞Ｔ１であれば（Ｓ４８のＹＥＳ）、非加熱上水の供給準備を行い（Ｓ４９）、三方弁３２−７を排水に切り替える（Ｓ５０）。ふろ給湯器１１４には、給湯（たし湯）指示が行われる（Ｓ５１）。この場合、Ｔｂ＞Ｔ２であるかを判断する（Ｓ５２）。Ｔｂ＞Ｔ２でなければ（Ｓ５２のＮＯ）、タンクユニット管理を行う（Ｓ５３）。ただし、Ｓ４９の状態は維持する。この管理の後、Ｓ５２に戻る。また、Ｓ４８において、Ｔａ＞Ｔ１でなければ（Ｓ４８のＮＯ）、Ｓ４２に戻る。
【０１０８】
Ｔｂ＞Ｔ２であれば（Ｓ５２のＹＥＳ）、給湯（たし湯）指示を停止し（Ｓ５４）、三方弁３２−７を給湯に切り替え（Ｓ５５）、これにより、三方弁３２−７が排水から給湯に切り替えられる。つまり、三方弁３２−７は、Ｓ５０の切替状態から通常状態に戻される。
【０１０９】
この三方弁３２−７の切り替えに続き、非加熱上水供給解除（Ｓ５６）を行い、燃焼なしタイマー６４−１を初期化し（Ｓ５７）、燃焼なしタイマー６４−１の計測時間をリセットする。つまり、燃焼により、ガス消費量に変動が生じたので、燃焼なしタイマー６４−１を初期化する。
【０１１０】
Ｓ４５において、ふろ給湯器１１４が燃焼中であれば（Ｓ４５のＹＥＳ）、燃焼時間タイマー６４−２が燃焼時間を計測し、その計測時間Ｔｂが所定時間Ｔ２、たとえば、Ｔ２＝１３０〔秒〕を超えて連続しているかを判断する（Ｓ５８）。
【０１１１】
Ｔｂ≦Ｔ２であれば（Ｓ５８のＮＯ）、Ｓ４２に戻る。Ｔｂ＞Ｔ２であれば（Ｓ５８のＹＥＳ）、燃焼なしタイマー６４−１を初期化し（Ｓ５９）、Ｓ４２に戻る。この初期化により、燃焼なしタイマー６４−１の計測時間がリセット状態に維持され、既述した処理と同様に燃焼中であれば燃焼なし時間の計測はない。
【０１１２】
このような処理手順によれば、ふろ給湯器１１４のバーナ５２の燃焼を行うので、燃焼（ガス消費量に変動）がない場合のガスメータ１４のガス遮断を回避できる。
【０１１３】
この実施の形態においても、燃焼準備としてタンクユニット６の水制御弁３２−４を閉止状態にし、加熱水の供給を停止し、ミキシング弁３２−３により供給水量が少なくなるように調整している。供給水量は最低燃焼水量としてたとえば、３〔リットル／分〕以上であればよい。燃焼によるガス消費量に変動を生じればよく、ふろ給湯器１１４のバーナ５２の燃焼時間は少なくてよい。つまり、最低燃焼水量はより少ないほうがよい。
【０１１４】
＜ふろ給湯器１１４＞
【０１１５】
図１１は、ふろ給湯器１１４の一例を示している。図１１において、図７と同一部分には同一符号を付してある。
【０１１６】
このふろ給湯器１１４では、給湯器８の機能を備えるとともに、自動運転機能として浴槽１２２に所定温度および所定水量の注湯を行い、浴槽水ＢＷの追焚き機能を備える。この追焚き機能では、浴槽水ＢＷを追焚きによって所定温度まで沸き上げる。たし湯機能では、追焚き時、たとえば、所定温度の２０リットルの湯を浴槽１２２に供給する。また、非加熱水を所定量たとえば、１０リットルだけ浴槽１２２に供給するなどの機能を備える。
【０１１７】
このふろ給湯器１１４では、２つのバーナ５２、１１８に対応し、排気口７３−１、７３−２が備えられ、リモコン装置１０にはふろリモコンや台所リモコンの２つが含まれている。
【０１１８】
＜第２の実施の形態の効果＞
【０１１９】
(1) 第２の実施の形態においても、第１の実施の形態と同様の効果が得られる。
【０１２０】
(2) ふろ給湯器１１４を用いれば、ガスメータ１４の自動遮断機能を回避する際、たし湯の機能を利用することにより、無駄な給湯を回避することができる。
【０１２１】
(3) 燃焼動作により湯水が発生する際は、ユーザに気づかれないように処理する。
【０１２２】
(4) シャワー、蛇口などの給湯栓が開放され、給湯が行われるのを水量センサにて検出すると、予め設定された給湯温度になるようにガス供給量などを調整し、バーナ燃焼を行うことができる。
【０１２３】
〔他の実施の形態〕
【０１２４】
(1) 上記実施の形態では、給湯器８またはふろ給湯器１１４に二次熱交換器を備える高効率タイプの給湯装置を用いているが、高効率タイプ以外の給湯器であってもよい。
【０１２５】
(2) 第２の実施の形態ではガス遮断機能回避の処理手順において、バーナ５２を燃焼させているが、バーナ１１８を燃焼させてもよい。
【０１２６】
以上説明したように、本発明の最も好ましい実施の形態等について説明した。本発明は、上記記載に限定されるものではない。特許請求の範囲に記載され、または明細書に開示された発明の要旨に基づき、当業者において様々な変形や変更が可能である。斯かる変形や変更が、本発明の範囲に含まれることは言うまでもない。
【産業上の利用可能性】
【０１２７】
本開示の燃料電池コージェネレーションシステム、その制御プログラムおよび制御方法では、自動ガス遮断機能を有するガスメータを介して燃料ガスが供給される燃料電池コージェネレーションシステムであって、正常時に自動ガス遮断機能が働くことによる不都合の回避や、熱源機選択の自由度や、多様化する設置スペースに対する利便性を高めることができる。
【符号の説明】
【０１２８】
２  燃料電池コージェネレーションシステム
４  ＦＣユニット
６  タンクユニット
８  給湯器
１０  リモコン装置
１２  燃料供給路
１４  ガスメータ
１６  改質器
１８  燃料電池
２０  熱交換器
２２  ポンプ
２４  制御系統
２４−１  ＦＣ制御部
２４−２  タンクユニット制御部
２４−３  給湯器制御部
２６  熱媒循環路
２６−１  第１の経路
２６−２  第２の経路
２６−３  第３の経路
２８−１  通信線
２８−２  通信線
２８−３  通信線
３０  貯湯タンク
３２−１  三方弁
３２−２  減圧弁
３２−３  ミキシング弁
３２−４  水制御弁
３２−５  排水電磁弁
３２−６  加圧逃がし弁
３２−７  三方弁
３２−８  水制御弁
３２−９  元ガス電磁弁
３２−１０  給湯ガス電磁弁
３２−１１、３２−１２  給湯ガス切替え弁
３２−１３  開閉弁
３４−１、３４−２、３４−３、３４−４、３４−５  貯湯温度センサ
３４−６  排熱低温センサ
３４−７  排熱高温センサ
３４−８  入水温センサ
３４−９  出湯温センサ
３４−１０  混合温センサ
３４−１１  入水温センサ
３４−１２  混合温センサ
３６  ラジエター
３８  ヒータ
４０  ファン
４４  給水路
４６−１  給湯路
４６−２  出側給湯路
４６−３  出湯路
４６−４  排水路
４６−５  バイパス路
４８−１、４８−２  排水路
５０−１  水量センサ
５０−２  水量センサ
５２  バーナ
５４  熱交換器
５４−１  一次熱交換器
５４−２  二次熱交換器
５８  バス
６０  プロセッサ
６２  メモリ
６４−１  燃焼なしタイマー
６４−２  燃焼時間タイマー
６６  入出力部（Ｉ／Ｏ）
６７  通信インターフェース
６８  プログラム記憶部
７０  データ記憶部
７２  ＲＡＭ
７３、７３−１、７３−２  排気口
７４  燃焼室
７６  給気ファン
７８  ドレン回収受け
８０  ドレンパイプ
８２  中和器
８４  オーバーフローパイプ
８６  電装基板
８８  漏電安全装置
９０  弁筐体
９２  ギヤードモータ
９４  位置検出部
９６  弁制御部
９８  弁体
１００  取付板
１０２Ａ  第１のポート
１０２Ｂ  第２のポート
１０２Ｃ  第３のポート
１０４  弁室
１０６  遮断部
１０８  通路部
１１０  弁軸
１１２  弁座部
１１４  ふろ給湯器
１１６  追焚循環路
１１６−１  追焚往き管
１１６−２  追焚戻り管
１１８  バーナ
１２０  追焚熱交換器
１２２  浴槽
１２４  注湯路
Ｇ  燃料ガス
Ｗ  水
ｔ１、ｔ２、ｔ３、ｔ４  貯湯温度
Ｔ１  所定時間
Ｔ２  所定時間
ｔ５  温度
ｔ６  入側温度
ｔ７  出側温度
ｔ８  入水温度
ｔ９  出湯温度
Ｔａ  燃焼なし時間
Ｔｂ  燃焼時間Ｔｂ
ＥＧ  燃焼排気
Ｔ１１  温度
Ｔ１２  出湯温度
Ｄ  ドレン
ＡＣ  商用電源
ＢＷ  浴槽水
【図１】
2015144088.tif 000003
【図２】
2015144088.tif 000004
【図３】
2015144088.tif 000005
【図４】
2015144088.tif 000006
【図５】
2015144088.tif 000007
【図６】
2015144088.tif 000008
【図７】
2015144088.tif 000009
【図８】
2015144088.tif 000010
【図９】
2015144088.tif 000011
【図１０】
2015144088.tif 000012
【図１１】
2015144088.tif 000013